(57)【要約】【課題】シャッタの小型化のみならず、その進退移動の距離も短くするなかで、測定端子側とインターフェース端子側との同時表出を簡単な構造のもとで回避させることができる測定器の提供。【解決手段】テストリード側と接続される測定端子１７と外部機器側と接続されるインターフェース端子１８とを同一面側に有する機器本体１２と、測定端子１７とインターフェース端子１８との同時表出を回避させるべく機器本体１２に対し進退自在に配設されるシャッタとを少なくとも具備させてなる測定器１１において、測定端子１７とインターフェース端子１８とは、シャッタの進退方向での左右に振り分け、かつ、測定端子１７がインターフェース端子１８よりもやや手前側に位置するようにして横列配置した。【選択図】図３
2006208233.tif 000002
【特許請求の範囲】
【請求項１】
テストリード側と接続される測定端子と外部機器側と接続されるインターフェース端子とを同一面側に有する機器本体と、前記測定端子と前記インターフェース端子との同時表出を回避させるべく前記機器本体に対し進退自在に配設されるシャッタとを少なくとも具備させてなる測定器において、
前記測定端子と前記インターフェース端子とは、前記シャッタの進退方向での左右に振り分け、かつ、前記測定端子が前記インターフェース端子よりもやや手前側に位置するようにして横列配置したことを特徴とする測定器。
【請求項２】
前記インターフェース端子は、前記シャッタの進退方向での奥端に位置する前記機器本体の背面側に導入口を設けて形成された凹陥部の底面に配設した請求項１に記載の測定器。
【請求項３】
前記シャッタは、前記測定端子を表出させた際に凹陥部の前記導入口を塞ぐべく垂設された遮蔽片を備える請求項２に記載の測定器。
【請求項４】
前記シャッタは、少なくとも前記測定端子の表出時と前記インターフェース端子の表出時との各時点における位置状態の保持が自在な嵌合部を前記機器本体との間で形成自在にして配設した請求項１ないし３のいずれかに記載の測定器。
【請求項５】
前記シャッタは、前記測定端子と前記インターフェース端子との双方を隠蔽する位置状態の保持も自在な嵌合部を前記機器本体との間で形成自在にして配設した請求項４に記載の測定器。
【請求項６】
前記シャッタは、その進退時に前記機器本体の対面部位に凹設されたガイド溝を介して案内させるべく垂設されたガイド片を有する請求項１ないし５のいずれかに記載の測定器。
【発明の詳細な説明】
【技術分野】
【０００１】
本発明は、機器本体が備える測定端子側とインターフェース端子側とのうち、いずれか一方を表出させた際には他方を隠蔽することができるシャッターを配設して双方の同時表出を回避させるようにした測定器に関する技術である。
【背景技術】
【０００２】
通常、独立した一方の通電部と他方の通電部とを備える電気機器に対し必要な電気的な作業を行う場合には、例えば下記特許文献１に示すように一方の通電部に対して作業を行う際に他方の通電部に作業者が誤って触れないように、今回作業とは無関係な通電部側を一時的に隠蔽しておくことができる安全カバーを用いて安全対策を講じている例が多い。
【特許文献１】特開２００４−１２７７６６号公報
【０００３】
ところで、上記特許文献１に開示されている例は、作業時における安全性確保の観点からブレーカーが電路開成状態にある給電遮断時に限り端子台に対する必要な配線作業を行うことができるようにしたユニットパネルに関する技術であり、測定器に関するものではない。
【０００４】
しかし、テストリード側と接続される測定端子と外部機器側と接続されるインターフェース端子とを備える測定器などにおいては、上記特許文献１におけると同様に、一方の側に対して作業を行う際に他方の側に作業者が誤って触れないようにする安全対策を講じておく必要がある。
【０００５】
図９は、測定端子とインターフェース端子とを備える測定器の従来例を示す要部説明図であり、測定器１は、その機器本体２の弧状膨出部３における長さ方向での一方の側には測定端子４が、他方の側にはインターフェース端子５がそれぞれ配設されており、これら測定端子４とインターフェース端子５とは、扇形支腕部７相互間に架設された弧状シャッタ６を回動させることで、同時に双方が表出することのないように隠蔽できるようになっている。この場合、弧状シャッタ６は、扇形支腕部７における扇の要に相当する部位にて機器本体２側に軸支されており、該軸支構造のもとで弧状膨出部３の面方向に沿わせて回動させることができるようになっている。
【０００６】
このうち、図９（ａ）は、弧状シャッタ６により測定端子４側のみが隠蔽されている状態を、図９（ｂ）は、弧状シャッタ６により測定端子４とインターフェース端子５との双方が同時に隠蔽されている状態を、図９（ｃ）は、弧状シャッタ６によりインターフェース端子５側のみが隠蔽されている状態をそれぞれ示す。
【０００７】
このため、図９の測定器１による場合には、その（ａ）に示されるようにインターフェース端子５のみが使用できるパターンと、（ｂ）に示されるように測定端子４とインターフェース端子５との双方が使用できないパターンと、（ｃ）に示されるように測定端子４のみが使用できるパターとのいずれかを選択することができ、測定端子４とインターフェース端子５との双方を同時に使用できる状態に表出させないことで安全裡に作業を遂行することができることになる。
【発明の開示】
【発明が解決しようとする課題】
【０００８】
しかし、図９に示す測定器１による場合、弧状シャッタ６は、扇形支腕部７の内側面にバネで突出方向に付勢された鋼球８を埋設しておき、機器本体２側の対応部位に予め設けられている凹部９と嵌合自在とすることで、少なくとも（ａ）および（ｃ）の２つの位置にてその回動姿勢を保持させておかねばならず、それだけ位置状態の保持構造が複雑になる不都合があった。
【０００９】
しかも、弧状シャッタ６は、機器本体２を跨ぐように弧状膨出部３の長さ方向に架け渡した上で、各扇形支腕部７を介して軸支させておく必要があるため、それだけ大型化してしまうばかりでなく、回動時における移動距離も大きくなってしまう不具合もあった。
【００１０】
本発明は、従来技術の上記課題に鑑み、シャッタの小型化のみならず、その進退移動の距離も短くするなかで、測定端子側とインターフェース端子側との同時表出を簡単な構造のもとで回避させることができるようにした測定器を提供することを目的とする。
【課題を解決するための手段】
【００１１】
本発明は、上記目的を達成すべくなされたものであり、テストリード側と接続される測定端子と外部機器側と接続されるインターフェース端子とを同一面側に有する機器本体と、前記測定端子と前記インターフェース端子との同時表出を回避させるべく前記機器本体に対し進退自在に配設されるシャッタとを少なくとも具備させてなる測定器において、前記測定端子と前記インターフェース端子とは、前記シャッタの進退方向での左右に振り分け、かつ、前記測定端子が前記インターフェース端子よりもやや手前側に位置するようにして横列配置したことを最も主要な特徴とする。
【００１２】
この場合、前記インターフェース端子は、前記シャッタの進退方向での奥端に位置する前記機器本体の背面側に導入口を設けて形成された凹陥部の底面に配設するのが好ましい。また、前記測定端子を表出させた際に凹陥部の前記導入口を塞ぐべく垂設された遮蔽片を具備させておくのが望ましい。
【００１３】
さらに、前記シャッタは、少なくとも前記測定端子の表出時と前記インターフェース端子の表出時との各時点における位置状態の保持が自在な嵌合部を前記機器本体との間で形成自在にして配設するのが好ましい。この場合、前記シャッタは、前記測定端子と前記インターフェース端子との双方を隠蔽する位置状態の保持も自在な嵌合部を前記機器本体との間で形成自在にして配設することもできる。なお、前記シャッタは、その進退時に前記機器本体の対面部位に凹設されたガイド溝を介して案内させるべく垂設されたガイド片を有するものであってもよい。
【発明の効果】
【００１４】
本発明のうち、請求項１に係る発明によれば、測定端子とインターフェース端子とは、測定端子をインターフェース端子よりもやや手前側に位置させ、かつ、シャッタの進退方向での左右に振り分けた状態で横列配置されているので、シャッタの進退移動の距離もそれだけ短くするなかで、接続端子とインターフェース端子との同時使用をできなくして作業の安全性向上に寄与させることができる。
【００１５】
請求項２に係る発明によれば、インターフェース端子は、機器本体の背面側に導入口を有する凹陥部の底面にその上面よりも一段低くして配設されているので、シャッタの進退操作時に作業者が誤ってインターフェース端子に触れる可能性をそれだけ低くすることができる。
【００１６】
請求項３に係る発明によれば、シャッタは、測定端子を表出させた際に凹陥部の導入口を塞ぐ遮蔽片を備えているので、作業者が測定端子側を利用しているときに誤ってインターフェース端子側に触れてしまうおそれを完全になくすことができる。
【００１７】
請求項４に係る発明によれば、シャッタは、測定端子の表出時とインターフェース端子の表出時とに機器本体との間で嵌合部を形成してその位置を保持させておくことができるので、シャッタがみだりに動いてしまうのを効果的に阻止することができる。
【００１８】
請求項５に係る発明によれば、シャッタは、測定端子とインターフェース端子との双方を同時に隠蔽した際にも機器本体との間で嵌合部を形成してその位置を保持させておくことができるので、シャッタがみだりに動いてしまうのをさらに効果的に阻止することができる。
【００１９】
請求項６に係る発明によれば、シャッタは、その進退時に機器本体のガイド穴を介して案内されるガイド片を有しているので、左右にぶれることなくより安定的に進退移動させることができる。
【発明を実施するための最良の形態】
【００２０】
図１は、本発明の一例につき測定端子とインターフェース端子との双方をシャッタで同時に隠蔽した際の状態を示す要部斜視図である。図２は、シャッタ側を取り外した状態で図１に対応させた要部説明図を、図３は、図２についての平面図をそれぞれ示す。また、図４は、シャッタ単体を示す説明図であり、そのうちの（ａ）は斜め上方からみた際の全体斜視図を、（ｂ）は斜め下方からみた際の全体斜視図をそれぞれ示す。
【００２１】
これらの図によれば、測定器１１は、測定回路を含む必要部材を平面視略方形を呈するケーシング１３内に収容してなる機器本体１２と、該機器本体１２が備える測定端子１７とインターフェース端子１８とのいずれか一方のみを表出させることができるように配設されるシャッタ４２とを少なくとも備えて形成されている。
【００２２】
この場合、測定端子１７とインターフェース端子１８とは、例えば図３に示されているようにシャッタ４２の進退方向での左側に測定端子１７が、右側にインターフェース端子１８がそれぞれ位置するように、左右に振り分けて配設されており、しかも、測定端子１７がインターフェース端子１８よりもやや手前側に位置するようにして横列配置されている。
【００２３】
このうち、機器本体１２は、図２では右上方の図示省略部分に位置する手前側の上面に各種の操作スイッチが配設され、これに続く略中央部に位置する上面１４にはＬＣＤからなる表示部１６が、該表示部１６よりも奥側（図２では左下方側）に位置する上面１４には、測定端子１７とインターフェース端子１８とがそれぞれ配設されている。
【００２４】
この場合、図示しないテストリード側と各別に電気的に接続される測定端子１７、例えばプラス端子１７ａとガード端子１７ｂとマイナス端子１７ｃとのそれぞれは、図３においてケーシング１３における表示部１６近傍の左側寄りに横列形成された各通孔１９を介してその内奥に各別に配設されている。
【００２５】
また、インターフェース端子１８を構成している例えば充電用のアダプタジャック１８ａとパソコン接続用のＵＳＢ（Ｕｎｉｖｅｒｓａｌ  Ｓｅｒｉａｌ  Ｂｕｓ）コネクタ１８ｂと温度測定用コネクタ１８ｃとは、図３において右側寄りに位置し、図２に示すような段差を形成して一段低い位置に配設されている。
【００２６】
すなわち、機器本体１２には、図３において右側寄りに位置するケーシング１３の上面１４の奥端側には、図２からも明らかなようにその背面１５に導入口２５を有する凹陥部２４が設けられており、その底面２６に横列形成された通孔２７を介してアダプタジャック１８ａとＵＳＢコネクタ１８ｂと温度測定用コネクタ１８ｃとからなるインターフェース端子１８が配設されている。
【００２７】
しかも、図３に示されているように、ケーシング１３の上面１４寄りに位置する左右の各側縁部２０には、シャッタ４２を進退自在に案内するガイド溝部３４が形成されており、これら各ガイド溝部３４を介してシャッタ４２が前後方向へと円滑に移動できるようになっている。
【００２８】
一方、測定端子１７とインターフェース端子１８との同時表出を回避させるべく機器本体１２側に対し進退自在に配設されシャッタ４２は、図４からも明らかなように平面視略コ字形を呈して形成されている。
【００２９】
すなわち、シャッタ４２は、ケーシング１３の上面１４側と対面してその一部領域を覆う覆い板部４３と、該覆い板部４３の進退方向での両側縁部に沿わせてその後端側から延設された一対の支腕部４５，４５を有する摺接部４４，４４と、覆い板部４３の進退方向での先端側に垂設されてケーシング１３が有する凹陥部２４の導入口２５を塞ぐ遮蔽片５３と、該遮蔽片５３の近傍に位置する覆い板部４３の裏面側から垂設されたガイド片５４と、覆い板部４３の上面に突設された抓み片５５とを備えて形成されている。
【００３０】
このうち、覆い板部４３は、機器本体１２がその上面１４側に備える測定端子１７とインターフェース端子１８とを同時に隠蔽することができる面サイズを有して形成されており、その進退位置の如何により測定端子１７側のみを覆ったり、インターフェース端子１８側のみを覆ったりすることができるようになっている。
【００３１】
また、各摺接部４４における支腕部４５には、ケーシング１３の対応部位に設けられているガイド溝部３４内へと導入される差込み片部４６が垂設されており、該差込み片部４６がガイド溝部３４に案内されることで、シャッタ４２が左右にぶれることなく円滑に進退できるようになっている。なお、覆い板部４３の裏面側に垂設されているガイド片５４は、シャッタ４２の進退方向に沿うようにケーシング１３の上面１４に形成されているガイド穴２８内に配置されており、これによりシャッタ４２が左右にぶれることなくより安定的に進退移動させることができることになる。
【００３２】
しかも、各摺接部４４には、図５（ｂ）および図７（ｂ）に示すように測定端子１７の表出時とインターフェース端子１８の表出時との各時点における位置状態の保持が自在な嵌合部２９を機器本体１２側との間で形成するための可撓係止片４７が垂設されている。
【００３３】
すなわち、機器本体１２のガイド溝部３４は、シャッタ４２の進退方向での移動可能範囲を規制する所定の長さが付与されて形成されており、支腕部４５が備える差込み部４６はガイド溝部３４の長さ範囲内での進退が可能となっている。
【００３４】
また、ガイド溝部３４の奥端側には、差込み部４６の移動が阻止され時点で可撓係止片４７側が乗り上がることになる下支え部３５が設けられている。さらに、ガイド溝部３４の奥端側から下支え部３５の奥端側へと至るケーシング１３の外側面３６には、可撓係止片４７の対向面側が導入される摺接溝部３７が刻設されており、該摺接溝部３７の溝底３７ａの所定の２カ所には、一側突起部３８が各別に突設されている。
【００３５】
一方、シャッタ４２がその各摺接部４４に備える可撓係止片４７は、図３からも明らかなように、摺接部４４の下面側から垂下させた支柱部４８と、該支柱部４８を中心に位置させてその開放端側から進退方向での前後へと各別に延設された一対の可撓腕部４９，４９とで形成されている。
【００３６】
しかも、各可撓腕部４９の内側面４９ａには、ケーシング１３の摺接溝部３７に突設されている一側突起部３８の各位置との関係で定まる所定位置に他側突起部５０が各別に突設されている。また、各可撓腕部４９は、各他側突起部５０がケーシング１３の摺接溝部３７内に入り込むことにより、該摺接溝部３７側に係止された状態となって一体化されているので、シャッタ４２自体もケーシング１３側に離脱困難に一体的に取り付けられることになる。
【００３７】
この場合における一側突起部３７と他側突起部５０との位置関係は、図５〜図７に示されているように、測定端子１７の表出時とインターフェース端子１８の表出時との各時点における位置状態の保持が自在な嵌合部３０を形成できるものでなければならない。
【００３８】
すなわち、図５（ａ）に示すようにインターフェース端子１８が表出する位置にまでシャッタ４２を移動させた際、図５（ｂ）に示すように各一側突起部３８と各他側突起部５０とは、摺接溝部３７にあって手前側に位置する一側突起部３８を可撓腕部４９の手前側の他側突起部５０が乗り越えて相互間で嵌合部２９を形成することができる位置関係となって突設されている。
【００３９】
また、図６（ａ）に示すように測定端子１７とインターフェース端子１８との双方が隠蔽される位置にまでシャッタ４２を移動させた際、図６（ｂ）に示すように各一側突起部３８と各他側突起部５０とは、一対の一側突起部３８，３８相互間に一対の他側突起部５０，５０が位置する配置関係となって突設されている。
【００４０】
さらに、図７（ａ）に示すように測定端子１７が表出する位置にまでシャッタ４２を移動させた際、図７（ｂ）に示すように各一側突起部３８と各他側突起部５０とは、摺接溝部３７にあって奥側に位置する一側突起部３８を可撓腕部４９の奥側の他側突起部５０が乗り越えて相互間で嵌合部２９を形成することができる位置関係となって突設されている。しかも、各一側突起部３８と各他側突起部５０とは、相互で嵌合部２９を形成する際の移動を円滑に行うことができるように、それぞれの対応部位にスロープ３８ａ，５０ａが形成されている。
【００４１】
次に、上記構成からなる本発明の作用・効果を説明すれば、アダプタジャック１８ａとＵＳＢコネクタ１８ｂと温度測定用コネクタ１８ｃとからなるインターフェース端子１８を用いて作業を行う場合には、図５（ａ）に示すようにインターフェース端子１８が表出する位置にまでシャッタ４２が抓み部５５を介して引き下げた上で必要な接続が行われることになる。
【００４２】
しかも、このとき、シャッタ４２が備える遮蔽片５３は、機器本体部１２の凹陥部２４にあって導入口２５との対面部位側へと後退してその遮蔽状態を解除させることができるので、必要なコード等は導入口２５を介して外部から容易に導入することができる。また、インターフェース端子１８自体は、機器本体１２の凹陥部２４の底面２６にその上面１４よりも一段低くして配設されているので、シャッタ４２の進退操作時に作業者が誤ってインターフェース端子１８に触れる可能性をそれだけ低くしてやることができる。
【００４３】
さらに、図５（ａ）に示す位置にあるシャッタ４２は、機器本体１２側との間で図５（ｂ）に示す嵌合部２９を形成しているので、みだりに動くのを阻止してインターフェース端子１８を用いた作業を安全裡に遂行することができる。
【００４４】
また、測定端子１７とインターフェース端子１８との双方をシャッタ４２で隠蔽しておきたい場合には、図６（ａ）に示すように測定端子１７とインターフェース端子１８との双方が隠蔽される位置にまでシャッタ４２を抓み部５５を介して移動させることで簡単に行うことができる。
【００４５】
一方、図示しないテストリード側を例えばプラス端子１７ａとガード端子１７ｂとマイナス端子１７ｃとで構成されている測定端子１７側に接続して作業を行おうとする場合には、図６（ａ）に示す位置にあるシャッタ４２を抓み部５５を介して押し出し方向に図７（ａ）に示す位置にまで移動させることで、測定端子１７側を表出させることができる。
【００４６】
このとき、図７（ａ）に示す位置にあるシャッタ４２は、機器本体１２側との間で図７（ｂ）に示す嵌合部２９を形成しているので、みだりに動くのを阻止して測定端子１７を用いた作業を安全裡に遂行することができる。
【００４７】
しかも、シャッタ４２が備える遮蔽片５３は、機器本体部１２の凹陥部２４の導入口２５を塞ぐ位置へと移動して凹陥部２４側を完全隠蔽しているので、導入口２５側から手指を入れて誤ってインターフェース端子１８側に触れてしまうようなことも確実に阻止することができる。
【００４８】
以上は、本発明を図示例に基づいて説明したものであり、その具体的な内容はこれに限定されるものではない。例えば、シャッタ４２は、機器本体１２との間で嵌合部２９を形成することなく、単にスライドする状態で進退できるように配設するものであってもよい。
【００４９】
また、インターフェース端子１８は、ケーシング１３に導入口２５付きの凹陥部２４を設けることなく、その上面１５側に配設することもできる。さらに、シャッタ４２は、測定端子１７を表出させた際に凹陥部２４の導入口２５を塞ぐ遮蔽片５３やガイド穴２８を介して案内されるガイド片５４を備えないものであってもよい。
【００５０】
また、機器本体１２とシャッタ４２との相互間に形成される嵌合部２９は、摺接溝部３７の上面に一側突起部を、一側突起部と対面する位置関係にある可撓腕部４７の下面に他側突起部をそれぞれ突設するなど、要は測定端子１７の表出時とインターフェース端子１８の表出時との各時点において嵌合部２９を形成することができる構造を備えているものであればよい。
【００５１】
さらに、機器本体１２とシャッタ４２との間には、嵌合部２９とは別に図８に示す嵌合部３０を形成して、シャッタ４２で測定端子１７とインターフェース端子１８との両方を同時に隠蔽した際にその位置を保持させて、シャッタ４２がみだりに動いてしまうのをさらに効果的に阻止することができるようにしておくこともできる。すなわち、図６（ａ）に示すように測定端子１７とインターフェース端子１８との双方が隠蔽される位置にまでシャッタ４２を移動させた際、可撓腕部４７の他側突起部５０，５０相互間に位置する長さが付与された位置規制突起部３９を摺接溝部３７の一側突起部３８，３８相互間に突設し、シャッタ４２の位置規制を行うことができるようにしておいてもよい。
【図面の簡単な説明】
【００５２】
【図１】本発明の一例につき測定端子とインターフェース端子との双方をシャッタで隠蔽した際の状態を示す要部斜視図。
【図２】シャッタ側を取り外した状態のもとで図１に対応させて示す要部斜視図。
【図３】図２の状態での対応平面図。
【図４】シャッタ側を示す説明図であり、そのうちの（ａ）は斜め上方からみた際の全体斜視図を、（ｂ）は斜め下方からみた際の全体斜視図をそれぞれ示す。
【図５】インターフェース端子の表出時における位置関係を示す説明図であり、そのうちの（ａ）は平面図を、（ｂ）はその際における一側突起部と他側突起部との位置関係をそれぞれ示す。
【図６】測定端子とインターフェース端子との双方隠蔽時における位置関係を示す説明図であり、そのうちの（ａ）は平面図を、（ｂ）はその際における一側突起部と他側突起部との位置関係をそれぞれ示す。
【図７】測定端子の表出時における位置関係を示す説明図であり、そのうちの（ａ）は平面図を、（ｂ）はその際における一側突起部と他側突起部との位置関係をそれぞれ示す。
【図８】本発明の他例についての一側突起部と他側突起部との位置関係を示す説明図。
【図９】測定端子とインターフェース端子とを備える測定器の従来例を示す要部説明図であり、そのうちの（ａ）は測定端子側のみが隠蔽されている状態を、（ｂ）は、測定端子とインターフェース端子との双方が同時に隠蔽されている状態を、（ｃ）は、インターフェース端子側のみが隠蔽されている状態をそれぞれ示す。
【符号の説明】
【００５３】
１１  測定器
１２  機器本体
１３  ケーシング
１４  上面
１５  背面
１６  表示部
１７  測定端子
１７ａ  プラス端子
１７ｂ  ガード端子
１７ｃ  マイナス端子
１８  インターフェース端子
１８ａ  アダプタジャック
１８ｂ  ＵＳＢコネクタ
１８ｃ  温度測定用コネクタ
１９  通孔
２０  側縁部
２４  凹陥部
２５  導入口
２６  底面
２７  通孔
２８  ガイド穴
２９  嵌合部
３０  嵌合部
３４  ガイド溝
３５  下支え部
３６  外側面
３７  摺接溝部
３７ａ  溝底
３８  一側突起部
３８ａ  スロープ
３９  位置規制突起部
４２  シャッタ
４３  覆い板部
４４  摺接部
４５  支腕部
４６  差込み片部
４７  可撓係止片
４８  支柱部
４９  可撓腕部
４９ａ  内側面
５０  他側突起部
５０ａ  スロープ
５３  遮蔽片
５４  ガイド片
５５  抓み片
【図１】
2006208233.tif 000003
【図２】
2006208233.tif 000004
【図３】
2006208233.tif 000005
【図４】
2006208233.tif 000006
【図５】
2006208233.tif 000007
【図６】
2006208233.tif 000008
【図７】
2006208233.tif 000009
【図８】
2006208233.tif 000010
【図９】
2006208233.tif 000011